(57)【要約】      （修正有）【課題】下方向および左右両方向の視角からの最適なコントラストの表示を可能とし、良好な視認性を得ることができる液晶表示装置を提供する。【解決手段】第１および第２液晶パネルは一対の透明基板間にＴＮ液晶を封入し、ＴＮ液晶の層厚ｄを１、５〜３、０μｍ、位相差値Δｎｄを３００〜６００ｎｍとし、第１液晶パネルの視認側の配向膜の配向軸と第２液晶パネルの視認側の配向膜の配向軸との交差角を１０°以内とし、第１液晶パネルおよび第２液晶パネルの何れか一方の液晶パネルを挟持する２枚の偏光板を一対の広視野角偏光板とし、各広視野角偏光板の偏光軸と一方の液晶パネルの各広視野角偏光板の配設側の配向膜の配向軸との交差角を略９０°とし、他の１枚の偏光板の偏光軸と他方の液晶パネルの偏光板の配設側の配向膜の配向軸との交差角を１０°以内とする。【選択図】      図１
2004258372.tif 000002
【特許請求の範囲】
【請求項１】
液晶表示パネルの反視認側に複数の単位色を選択的に切り換えて発光するバックライトユニットを備え、前記液晶表示パネルの画素毎の透光を前記バックライトユニットからの各単位色の発光に同期させて選択的に制御し、各単位色のそれぞれの表示パターンを高速で連続的に時分割方式で重ねて表示して所望の表示を行なう液晶表示装置であって、
第１液晶表示パネル、前記第１液晶表示パネルの反視認側に配設されて前記第１液晶表示パネルと同一に駆動される第２液晶表示パネル、前記第１液晶表示パネルの視認側に配設された偏光板、前記第１液晶表示パネルと第２液晶表示パネルとの間に配設された偏光板、および前記第２液晶表示パネルの反視認側に配設された偏光板を備え、
前記第１液晶表示パネルおよび第２液晶表示パネルは、配向膜が形成された面を対向させて間隔を隔ててほぼ平行に配置された一対の透明基板間にＴＮ型液晶が封入され、前記ＴＮ型液晶の層厚ｄＬＣが１．５〜３．０μｍ、位相差値ΔｎＬＣ・ｄＬＣが３００〜６００ｎｍとされ、かつ、前記第１液晶表示パネルの視認側の配向膜の配向軸と前記第２液晶表示パネルの視認側の配向膜の配向軸との交差角が１０°以内とされており、
前記第１液晶表示パネルおよび第２液晶表示パネルの何れか一方の液晶表示パネルを挟持する２枚の偏光板は一対の広視野角偏光板とされ、各広視野角偏光板の偏光軸と前記一方の液晶表示パネルの前記各広視野角偏光板の配設側の配向膜の配向軸との交差角が略９０°とされており、
他の１枚の偏光板の偏光軸と他方の液晶表示パネルの前記偏光板の配設側の配向膜の配向軸との交差角は１０°以内とされていることを特徴とする液晶表示装置。
【請求項２】
前記第１液晶表示パネルおよび第２液晶表示パネルにはそれぞれ、前記画素間を遮光する遮光膜が配設されている請求項１に記載の液晶表示装置。
【請求項３】
前記バックライトユニットは、赤、青、緑の発光ダイオードを有する請求項１または２に記載の液晶表示装置。
【発明の詳細な説明】
【０００１】
【発明の属する技術分野】
本発明は、液晶を利用したディスプレイに使用される液晶表示装置に係り、特に、ＴＮ（Ｔｗｉｓｔｅｄ  Ｎｅｍａｔｉｃ）型液晶を用いたフィールドシーケンシャル方式の液晶表示装置において広視野角を確保するとともに、良好なコントラストを示すことのできる液晶表示装置に関する。
【０００２】
【従来の技術】
近年、高精細なカラー表示が可能な液晶表示装置として、例えば、特許文献１に示すようなフィールドシーケンシャル方式を用いたカラー液晶表示装置（以下、ＦＳ液晶表示装置と記す。）が多く利用されている。
【０００３】
このＦＳ液晶表示装置は、間隔を隔ててほぼ平行に配置された一対の透明基板、各透明基板の対向面にそれぞれ形成された一対の透明電極、各透明電極上にそれぞれ形成された一対の配向膜、各透明基板間を所定の間隔で維持しつつその周縁を接合し封止するシール材およびその封入空間内に封入された液晶から構成された液晶表示パネルと、前記液晶表示パネルを挟持する一対の偏光板と、複数の単位色、例えば赤、緑、青の光源色の３色を選択的に発光するバックライトユニットとを備えている。
【０００４】
このフィールドシーケンシャル方式を用いたカラー表示の原理は、前記液晶表示パネルをその背面側から照射する前記バックライトユニットの各色の発光に同期させて特定フィールドを選択的に透光可能に開口させる光シャッタとして用いるとともに、前記バックライトユニットの３色の発光を高速度で切換えることにより、３色のそれぞれの表示パターンを高速で連続的に時分割方式で重ねて表示して所望のカラー表示を行なうというものである。前記液晶表示パネルの光シャッタとしての作用をより詳しく説明すれば、カラー表示を行う特定フィールドの各１画素を構成する前記一対の透明基板に形成された透明電極に対し、選択的に電圧を印加することにより、当該特定フィールドの液晶の分子配列を変化させ、当該特定フィールドでのみ光の透過率を変化させるように作用することとなる。
【０００５】
例えば、ある特定フィールドの１画素を赤で表示したいとき、赤のバックライトユニットの点灯・発光時には光を透過させ、他の緑および青のバックライトユニットの点灯・発光時には光を遮光させるようにする。
【０００６】
ところで、一般的に、液晶表示装置には、高速応答性、高コントラスト、高精細表示、広視野角といった特性が求められる。前述のようにしてカラー表示を行うＦＳ液晶表示装置においては、バックライトユニットの赤、緑、青の各色の切換周波数は、通常時が６０Ｈｚである場合には、その３倍の１８０Ｈｚで切換えなければならず、特に、高速応答化が要求されている。
【０００７】
また、ＦＳ液晶表示装置は、赤、緑、青の３色のカラーフィルターを用いてカラー表示する液晶表示装置と同じ面積で３倍の画素を表現できるため、高精細な表示が可能となる。そのため、駅や空港等の各種案内表示板やメッセージボードといった比較的大型の表示装置として用いられることも多く、その場合には、観者が見上げる位置に配置されることや、観者が表示装置の画面を必ずしも正面から視認できるとは限らないこと等を勘案し、特に、液晶表示装置の画面に対する下方からの視角や左右両方向からの視角に対しても良好な視認性（高コントラスト）を示す広視野角化が要求されている。
【０００８】
これらの要求に対し、近年では、例えば、液晶が封止されることとなる一対の透明基板間を低ギャップに形成して高速応答化させたり、液晶表示パネルに封入する液晶としてＴＮ型液晶を用い、その液晶表示パネルを挟持するようにして２枚の偏光板をその偏光軸を直交させて配置した液晶表示装置においては、液晶がより規則正しく配列する垂直配向時に光を遮光させるべく、液晶表示パネルを簡略図示した図１１（１）に示すように、オフ電圧印加時に液晶はねじれ配向となって光を透過させ、図１１（２）に示すように、オン電圧印加時に液晶は垂直配向となって光を遮光するノーマリーホワイトモードを採用して高コントラスト化させることがなされている。なお、液晶表示パネルを簡略図示した図１１中、３０１は視認側の透明基板、３０２は反視認側の透明基板、３０３は液晶層、３０４はブラックマスクを示す。
【０００９】
このノーマリーホワイトモードを採用した液晶表示装置においては、前述のように、ある特定フィールドの１画素を赤で表示したいとき、赤のバックライトユニットの点灯・発光時には、当該１画素に対応する前記透明電極にオフ電圧を印加して光を透過させ、他の緑および青のバックライトユニットの点灯・発光時には、当該１画素に対応する前記透明電極にオン電圧を印加して光を遮光させることとなる。
【００１０】
そして、前記広視野角化の要求に対しては、例えば、特許文献２に示すような、広視野角の表示を目的とする偏光膜（以下、広視野角偏光膜と略記する。）が開発・研究されており、ノーマリーホワイトモードの広視野角化として、富士フイルム社製のディスコチック液晶をハイブリッド配向させた液晶ポリマー補償フィルム（ＷＶフィルム）や新日本石油社製のネマチック液晶をハイブリッド配向させたもの（ＮＨフィルム）が知られている。また、前記ＷＶフィルムにおいては、偏光板と一体型の広視野角偏光板が市販されている。
【００１１】
ここで、偏光板と前記広視野角偏光板の構成について、簡単に説明する。
【００１２】
図１２には偏光板の構成の一例を示しており、前記偏光板は、ポリビニルアルコール（以下、ＰＶＡと記す。）にヨウ素や染料などの２色性の材料を染色・吸着させ、高度に延伸・配向させて偏光特性を付与するとともに、耐久性を付与すべく、前記ＰＶＡからなる膜を２枚のトリアセチルセルロース（以下、ＴＡＣと記す。）の膜間に挟持させた構成とされている。
【００１３】
また、図１３には、広視野角偏光板の構成の一例を示しており、前記広視野角偏光板は、前記ＰＶＡを前記ＴＡＣの薄膜と、ＷＶフィルムとの間に挟持させた構成とされている。前記ＷＶフィルムは、前記ＴＡＣ上に配向膜を設け、その上に負の一軸性化合物である円盤状化合物をハイブリッド配向させた光学異方性層から構成されており、前記円盤状化合物としては、ディスコティック液晶タイプの化合物が用いられている。なお、前記ＷＶフィルムは、前記光学異方性層を反ＰＶＡ側に位置させて前記ＰＶＡの片面に配設する。また、この構成を有する広視野角偏光板は、前記ＷＶフィルムを液晶層側に位置させ、粘着層を介して液晶表示パネルに配設する。
【００１４】
【特許文献１】
特開２００２−３０３８４６号公報
【特許文献２】
特開２００２−２２９４３号公報
【００１５】
【発明が解決しようとする課題】
しかしながら、後述する比較例（従来例）にも示すように、前述の広視野角偏光膜や広視野角偏光板を単に用いただけでは、公衆表示用の液晶表示装置の視野角として十分なものを得ることはできなかった。
【００１６】
そこで、本発明はこのような点に鑑み、フィールドシーケンシャル方式を採用する液晶表示装置において、特に、液晶表示装置の下方向および左右両方向の視角からの最適なコントラストの表示を可能とし、良好な視認性を得ることができる液晶表示装置を提供することを目的とする。
【００１７】
【課題を解決するための手段】
前述した目的を達成するため、本発明の請求項１に係る液晶表示装置の特徴は、第１液晶表示パネル、前記第１液晶表示パネルの反視認側に配設されて前記第１液晶表示パネルと同一に駆動される第２液晶表示パネル、前記第１液晶表示パネルの視認側に配設された偏光板、前記第１液晶表示パネルと第２液晶表示パネルとの間に配設された偏光板、および前記第２液晶表示パネルの反視認側に配設された偏光板を備え、前記第１液晶表示パネルおよび第２液晶表示パネルは、配向膜が形成された面を対向させて間隔を隔ててほぼ平行に配置された一対の透明基板間にＴＮ型液晶が封入され、前記ＴＮ型液晶の層厚ｄＬＣが１．５〜３．０μｍ、位相差値ΔｎＬＣ・ｄＬＣが３００〜６００ｎｍとされ、かつ、前記第１液晶表示パネルの視認側の配向膜の配向軸と前記第２液晶表示パネルの視認側の配向膜の配向軸との交差角が１０°以内とされており、前記第１液晶表示パネルおよび第２液晶表示パネルの何れか一方の液晶表示パネルを挟持する２枚の偏光板が一対の広視野角偏光板とされ、各広視野角偏光板の偏光軸と前記一方の液晶表示パネルの前記各広視野角偏光板の配設側の配向膜の配向軸との交差角が略９０°とされており、他の１枚の偏光板の偏光軸と他方の液晶表示パネルの前記偏光板の配設側の配向膜の配向軸との交差角は１０°以内とされている点にある。
【００１８】
このような構成を採用することにより、液晶表示装置の下方向および左右両方向からの視角に対して最良のコントラストを得て、極めて良好な視認性を得ることができ、広視野角化を実現することができる。
【００１９】
また、請求項２に係る液晶表示装置の特徴は、請求項１に記載の液晶表示装置において、前記第１液晶表示パネルおよび第２液晶表示パネルにはそれぞれ、前記画素間を遮光する遮光膜が配設されている点にある。
【００２０】
このような構成を採用することにより、カラー表示時における光漏れを防止することができ、コントラストを向上させることが可能となる。
【００２１】
さらに、請求項３に係る液晶表示装置の特徴は、請求項１または２に記載の液晶表示装置において、前記バックライトユニットは、赤、青、緑の発光ダイオードを有する点にある。
【００２２】
このような構成を採用することにより、カラー表示時における輝度を十分に確保することができる。
【００２３】
【発明の実施の形態】
以下、本実施形態について、２つの実施例と３つの比較例を用いて説明する。
【００２４】
本実施形態の液晶表示装置は、例えば、後述する実施例の図１あるいは図４に示すように、９０°のツイスト角を有するＴＮ型液晶が封入された２枚の液晶表示パネル１，２（以下、視認側に配設された液晶表示パネルを第１液晶表示パネル１と称し、反視認側に配設された液晶表示パネルを第２液晶表示パネル２と称する。）、第１液晶表示パネル１の視認側に配設された第１偏光板３、前記第１液晶表示パネル１と第２液晶表示パネル２との間に配設された第２偏光板４、および前記第２液晶表示パネル２の反視認側に配設された第３偏光板５とを備えた液晶表示装置である。
【００２５】
より詳しく説明すると、前記各液晶表示パネル１、２は、間隔を隔ててほぼ並行に配置された２枚のガラスのような材質からなる透明基板１００，１０１、１０２，１０３を有している。各透明基板１００、１０１、１０２、１０３上には、それぞれ透明電極１０４、１０５、１０６、１０７と、前記透明電極１０４、１０５、１０６、１０７に印加される電圧に応じて液晶分子の配向を制御する配向膜１０８、１０９、１１０、１１１とが積層形成されており、各液晶表示パネル１、２を構成するそれぞれ２枚の透明基板１００，１０１、１０２，１０３はそれぞれの前記配向膜１０８、１０９、１１０、１１１の形成面を対向させた状態でその周縁をシール材１１２、１１３により接合され密閉されている。この透明基板１００，１０１、１０２，１０３とシール材１１２、１１３により囲繞された密閉空間には、ツイスト角を９０°とし、位相差値ΔｎＬＣ・ｄＬＣが３００〜６００ｎｍ、好ましくは３５０〜５００ｎｍに設定されたＴＮ型液晶１１４、１１５が封入され、液晶層とされている。
【００２６】
また、前記各液晶表示パネル１，２は、前記液晶層厚ｄＬＣが１．５〜３．０μｍ、好ましくは１．５〜２．５μｍに設定されている。液晶層厚ｄＬＣが１．５μｍよりも小さくなると液晶表示パネルの製造が困難になり、３．０μｍを超えると応答速度が遅くなるためである。
【００２７】
また、後述する実施例の図２または図５に示すように、前記第１液晶表示パネル１の視認側に配置される配向膜１０８の配向軸と、前記第２液晶表示パネル２の視認側に配置される配向膜１１０の配向軸との交差角は１０°以内に設定されている。
【００２８】
そして、前記各液晶表示パネル１、２の内部には、各液晶表示パネル１、２の画素間を遮光する遮光膜１１６、１１７が配設されている。このように遮光膜１１６、１１７を画素間に形成することにより、カラー表示時における光漏れを防止することができ、コントラストを向上させることが可能となる。
【００２９】
そして、本実施形態においては、何れか一方の液晶表示パネル１（２）を挟持する２枚の偏光板３、４（４、５）は一対の広視野角偏光板（以下、広視野角偏光板は、符号に「Ｗ」を付して記す。）３Ｗ、４Ｗ（４Ｗ、５Ｗ）とされ、各広視野角偏光板３Ｗ、４Ｗ（４Ｗ、５Ｗ）の偏光軸と前記一方の液晶表示パネル１（２）の前記各広視野角偏光板３Ｗ、４Ｗ（４Ｗ、５Ｗ）の配設側の配向膜１０８、１０９（１１０、１１１）の配向軸との交差角は９０°とされており、他の１枚の偏光板５（３）の偏光軸と他方の液晶表示パネル２（１）の前記偏光板５（３）の配設側の配向膜１１１（１０８）の配向軸との交差角は１０°以内とされている。
【００３０】
さらに、本実施形態の液晶表示装置は、前記第２液晶表示パネル２の反視認側に、光源としての赤、青、緑の発光ダイオードを有し、前記発光ダイオードの各単位色を選択的に切り換えて発光するバックライトユニット（図示せず）が配設されている。このように、バックライトユニットに発光ダイオードを用いることにより、普通の蛍光表示管（ＶＦＤ）等を用いる場合よりも輝度を確保することができ、良好なカラー表示を行うことができる。
【００３１】
そして、前記第１液晶表示パネル１および第２液晶表示パネル２の画素毎の透光を前記バックライトユニットからの各色の発光に同期させて選択的、且つ、同一に駆動制御し、各単位色のそれぞれの表示パターンを高速で連続的に時分割方式で重ねて表示して所望のカラー表示を行なうように構成されている。
【００３２】
本実施形態の液晶表示装置のように、ＴＮ型液晶を封入した前記第１液晶表示パネル１と第２液晶表示パネル２との何れかの液晶表示パネル１（２）を挟持する２枚の偏光板３、４（４、５）を一対の広視野角偏光板３Ｗ、４Ｗ（４Ｗ、５Ｗ）とし、広視野角偏光板３Ｗ、４Ｗ（４Ｗ、５Ｗ）の偏光軸と前記一方の液晶表示パネル１（２）の前記各広視野角偏光板３Ｗ、４Ｗ（４Ｗ、５Ｗ）の配設側の配向膜１０８、１０９（１１０、１１１）の配向軸との交差角を略９０°とし、他の１枚の偏光板５（３）の偏光軸と他方の液晶表示パネル２（１）の前記偏光板５（３）の配設側の配向膜１１１（１０８）の配向軸との交差角を１０°以内とする構成とすることで、液晶表示装置の下方向および左右両方向からの視角に対して最良のコントラストを得て、極めて良好な視認性を得ることができ、広視野角化を実現するものとなる。
【００３３】
以下に、前述した本実施形態の液晶表示装置の具体的な実施例を示し、従来の仕様の液晶表示装置（比較例）と比較して説明する。
【００３４】
［実施例１］
本実施例の液晶表示装置は、図１に示すように、厚み方向に積層された２枚の液晶表示パネル１、２を有した液晶表示装置である。前記液晶表示装置においては、前記液晶１１４、１１５は９０°の左ツイストで、液晶層厚ｄＬＣ＝２μｍ、位相差値ΔｎＬＣ・ｄＬＣ＝４１０ｎｍとなるように設定されており、図２に示すように、第１液晶表示パネル１の視認側に配置される透明基板１００の配向膜１０８の配向軸と、第２液晶表示パネル２の視認側に配置される透明基板１０２の配向膜１１０の配向軸との交差角を０°に設定されている。
【００３５】
また、前記第１偏光板３および前記第２偏光板４として、一対の広視野角偏光板（ポラテクノ社製商品：ＳＫＮ−１８２４３ＷＬ）３Ｗ、４Ｗを使用し、前記第１偏光板３Ｗの偏光軸と前記第１液晶表示パネル１の視認側の配向膜１０８の配向軸との交差角、および第２偏光板４Ｗの偏光軸と前記第１液晶表示パネル１の反視認側の配向膜１０９の配向軸との交差角はそれぞれ９０°に設定されている。
【００３６】
また、第３偏光板５としてはニュートラルな偏光板（ポラテクノ社製商品：ＳＫＮ−１８２４３Ｔ）を使用し、前記第３偏光板５の偏光軸と第２液晶表示パネル２の反視認側の配向膜１１１の配向軸との交差角を０°に設定されている。
【００３７】
この液晶表示装置を試料とし、１８０Ｈｚでスタティック駆動させた場合における、コントラストの視野角依存性を図３に示す。
【００３８】
図３中、同心円とされ、１０°間隔で０〜５０°まで示された円状のラインは、液晶表示装置の表示面の法線からの傾き角（θ）を示しており、同図の中心点から放射状に延在し、同図を１２分割するラインは、液晶表示装置の表示面の３時方向を０°と仮定した場合における反時計方向の角度（φ）を示している（以下の実施例および比較例における図６、８、９、１０において同じ。）。
【００３９】
この結果、本実施例の液晶表示装置は、観者の視線をφ１２０〜６０（４２０）°の領域でθ０〜５０°とするまでにおいては、φ１８０〜２００°（略左方向）、φ２６０〜２８０°（略真下方向）。φ３４０〜３６０°（略右方向）を除く範囲で２００以上のコントラスト比を得て、良好なカラー表示の視認性を示すことができ、広視野角化を実現するものとなった。また、φ１８０〜２００°（略左方向）、φ２６０〜２８０°（略真下方向）。φ３４０〜３６０°（略右方向）においても、θ０〜４０°の範囲においては、２００以上のコントラスト比を得ることができた。
【００４０】
また、本実施例の液晶表示装置の応答速度は２ｍｓであった。
【００４１】
なお、ここでいう応答速度とは、前記透明電極に対してオン・オフの電圧を印加したときに、透過光が所定値に達するまでの時間である（以下の実施例および比較例において同じ）。
【００４２】
［実施例２］
本実施例の液晶表示装置は、図４に示すように、厚み方向に積層された２枚の液晶表示パネル１、２を有した液晶表示装置である。前記液晶表示装置においては、前記液晶１１４、１１５は９０°の左ツイストで、液晶層厚ｄＬＣ＝２μｍ、位相差値ΔｎＬＣ・ｄＬＣ＝４１０ｎｍとなるように設定されており、図５に示すように、第１液晶表示パネル１の視認側に配置される透明基板１００の配向膜１０８の配向軸と、第２液晶表示パネル２の視認側に配置される透明基板１０２の配向膜１１０の配向軸との交差角を０°に設定されている。
【００４３】
また、本実施例においては、前記第２偏光板４および前記第３偏光板５として、一対の広視野角偏光板（ポラテクノ社製商品：ＳＫＮ−１８２４３ＷＬ）４Ｗ、５Ｗを使用し、前記第２偏光板３Ｗの偏光軸と前記第２液晶表示パネル２の視認側の配向膜１１０の配向軸との交差角、および第３偏光板５Ｗの偏光軸と前記第２液晶表示パネル２の反視認側の配向膜１１１の配向軸との交差角はそれぞれ９０°に設定されている。
【００４４】
また、第１偏光板３としてはニュートラルな偏光板（ポラテクノ社製商品：ＳＫＮ−１８２４３Ｔ）を使用し、前記第１偏光板３の偏光軸と第１液晶表示パネル２の視認側の配向膜１０８の配向軸との交差角を０°に設定されている。
【００４５】
この液晶表示装置を試料とし、１８０Ｈｚでスタティック駆動させた場合における、コントラストの視野角依存性を図６に示す。
【００４６】
この結果、本実施例の液晶表示装置は、観者の視線をφ１２０〜６０（４２０）°の領域でθ０〜５０°とするまでにおいて、  φ１８０〜２００°（略左方向）、φ２６０〜２８０°（略真下方向）。φ３４０〜２０（３８０）°（略右方向）を除く範囲で２００以上のコントラスト比を得て、良好なカラー表示の視認性を示すことができ、広視野角化を実現するものとなった。また、φ１８０〜２００°（略左方向）、φ２６０〜２８０°（略真下方向）。φ３４０〜２０（３８０）°（略右方向）においても、θ０〜３５°の範囲においては、２００以上のコントラスト比を得ることができた。
【００４７】
また、本実施例の液晶表示装置の応答速度は２ｍｓであった。
【００４８】
［比較例（従来例）１］
本比較例の液晶表示装置は、１枚の液晶表示パネル２００と、この液晶表示パネル１１８を挟持する一対の偏光板２０１、２０２を有した液晶表示装置である。前記液晶表示パネル２００自体の構成は、前記実施例における各液晶表示パネル１、２と基本的に同様に構成されており、当該比較例の液晶表示装置においても、前記液晶（図示せず）は９０°の左ツイストで、液晶層厚ｄＬＣ＝２μｍ、位相差値ΔｎＬＣ・ｄＬＣ＝４１０ｎｍとなるように設定されており、図７に示すように、前記一対の偏光板２０１、２０２の偏光軸は直交するように配置されている。
【００４９】
さらに、液晶表示パネル２００の視認側に配設される偏光板２０１の偏光軸は、液晶表示パネル２００の視認側に配設された透明基板の配向膜（図示せず）の配向軸と直交し、かつ、反視認側に配設される偏光板２０２の偏光軸は、液晶表示パネルの反視認側に配設された透明基板の配向膜（図示せず）の配向軸と直交するように配設されている。
【００５０】
なお、前記一対の偏光板２０１、２０２としては、いずれもニュートラルな偏光板（ポラテクノ社製商品：ＳＫＮ−１８２４３Ｔ）を使用した。
【００５１】
この液晶表示装置を試料とし、１８０Ｈｚでスタティック駆動させた場合における、コントラストの視野角依存性を図８に示す。
【００５２】
この結果、本比較例の液晶表示装置においては、２００以上のコントラスト比を得ることのできる視角領域が、φ３０°付近におけるθ０〜３０°の範囲、φ１６０°付近におけるθ０〜４０°の範囲およびφ１８０〜３６０°におけるφ０〜１５乃至２０°の範囲にほぼ限られており、非常に狭い視野角であった。
【００５３】
［比較例（従来例）２］
本比較例の液晶表示装置は、前述した比較例１の液晶表示装置と略同様の構成を有するが、前記一対の偏光板２０１、２０２として、いずれも広視野角偏光板（ポラテクノ社製商品：ＳＫＮ−１８２４３ＷＬ）を使用した点で異なるものである。
【００５４】
この液晶表示装置を試料とし、１８０Ｈｚでスタティック駆動させた場合における、コントラストの視野角依存性を図９に示す。
【００５５】
この結果、本比較例の液晶表示装置においては、２００以上のコントラスト比を得ることのできる視角領域が、前記比較例１よりは広くなったものの、例えば、θ５０°の場合はφ３７〜４５°の一方向、θ４０°の場合はφ３０〜５０°、φ１３５〜１５０°、φ２１５〜２５０°およびφ３００〜３３０°の僅か四方向においてしか得ることができず、その視野角は未だ十分なものではなかった。
【００５６】
［比較例（従来例）３］
本比較例の液晶表示装置は、前述した実施例２の液晶表示装置と略同様の構成を有するが、前記第１偏光板３乃至第３偏光板５として、いずれもニュートラルな偏光板（ポラテクノ社製商品：ＳＫＮ−１８２４３Ｔ）を使用した点で異なるものである。
【００５７】
この液晶表示装置を試料とし、１８０Ｈｚでスタティック駆動させた場合における、コントラストの視野角依存性を図１０に示す。
【００５８】
この結果、本比較例の液晶表示装置においては、２００以上のコントラスト比を得ることのできる視角領域が、前記比較例１および比較例２よりは広くなったものの、例えば、θ５０°の場合はφ０〜４５°、φ１４０〜１８０°およびφ２３０〜３１５°範囲においてしか得ることができず、その視野角は未だ十分なものではなかった。また、１０００以上のコントラストを得ることのできる視角領域についても、前述の実施例１および２の場合に比して狭い範囲となった。
【００５９】
これらの実験から、ＴＮ型液晶が封入された第１液晶表示パネルの視認側の配向膜の配向軸と、同じくＴＮ型液晶が封入された前記第２液晶表示パネルの視認側の配向膜の配向軸との交差角を１０°以内とし、何れか一方の液晶表示パネルを挟持する２枚の偏光板を一対の広視野角偏光板とし、各広視野角偏光板の偏光軸と前記一方の液晶表示パネルの前記各広視野角偏光板の配設側の配向膜の配向軸との交差角を略９０°とし、他の１枚の偏光板の偏光軸と他方の液晶表示パネルの前記偏光板の配設側の配向膜の配向軸との交差角を１０°以内とした構成とすることで、特に、下方向および左右両方向の視角からのコントラストを良好なものとすることができることがわかった。
【００６０】
そして、このようにして広視野角化が実現された液晶表示装置であれば、駅や空港等の各種案内表示板やメッセージボードといった比較的大型の表示装置として、観者が見上げる位置に配置されような場合であっても、良好なカラー表示の視認性（高コントラスト）を示すことができる。
【００６１】
なお、本発明は、前述した実施形態および実施例に限定されるものではなく、必要に応じて種々の変更が可能である。
【００６２】
【発明の効果】
以上説明したように、本発明によれば、フィールドシーケンシャル方式の液晶表示装置において、下方向あるいは左右両方向からであっても、その視角からの最適なコントラストの表示を可能とし、高精細で、良好な視認性を得ることができるという効果を奏する。
【図面の簡単な説明】
【図１】本実施形態の実施例１の液晶表示装置の積層構造を示す縦断面図
【図２】実施例１の液晶表示装置を構成する各偏光板の偏光軸と各液晶表示パネルの視認側および反視認側の配向膜の配光軸の軸配置図
【図３】実施例１の液晶表示装置のコントラストの視野角依存性を示す図
【図４】本実施形態の実施例２の液晶表示装置の積層構造を示す縦断面図
【図５】実施例２の液晶表示装置を構成する各偏光板の偏光軸と各液晶表示パネルの視認側および反視認側の配向膜の配光軸の軸配置図
【図６】実施例２の液晶表示装置のコントラストの視野角依存性を示す図
【図７】比較例（従来例）１および２の液晶表示装置を構成する偏光板の偏光軸と液晶表示パネルの視認側および反視認側の配向膜の配向軸の軸配置図
【図８】比較例（従来例）１の液晶表示装置のコントラストの視野角依存性を示す図
【図９】比較例（従来例）２の液晶表示装置のコントラストの視野角依存性を示す図
【図１０】比較例（従来例）３の液晶表示装置のコントラストの視野角依存性を示す図
【図１１】オン・オフの電圧を印加したときの液晶の配列と光の透過状態を示す説明図
【図１２】偏光板の構成の一例を示す断面図
【図１３】広視野角偏光板の構成の一例を示す断面図
【符号の説明】
１  第１液晶表示パネル
２  第２液晶表示パネル
３  第１偏光板
３Ｗ  （広視野角偏光板を用いた）第１偏光板
４  第２偏光板
４Ｗ  （広視野角偏光板を用いた）第２偏光板
５  第３偏光板
５Ｗ  （広視野角偏光板を用いた）第３偏光板
１００  第１液晶表示パネルの視認側透明基板
１０１  第１液晶表示パネルの反視認側透明基板
１０２  第２液晶表示パネルの視認側透明基板
１０３  第２液晶表示パネルの反視認側透明基板
１０８  第１液晶表示パネルの視認側透明基板の配向膜
１０９  第１液晶表示パネルの反視認側透明基板の配向膜
１１０  第２液晶表示パネルの視認側透明基板の配向膜
１１１  第２液晶表示パネルの反視認側透明基板の配向膜
【図１】
2004258372.tif 000003
【図２】
2004258372.tif 000004
【図３】
2004258372.tif 000005
【図４】
2004258372.tif 000006
【図５】
2004258372.tif 000007
【図６】
2004258372.tif 000008
【図７】
2004258372.tif 000009
【図８】
2004258372.tif 000010
【図９】
2004258372.tif 000011
【図１０】
2004258372.tif 000012
【図１１】
2004258372.tif 000013
【図１２】
2004258372.tif 000014
【図１３】
2004258372.tif 000015